(57)【要約】【課題】シール強度を高めたまま、外傷や皺に強い真空断熱材を提供し、またこの真空断熱材を用いたリサイクル性の良い断熱箱を提供する。【解決手段】芯材３を被覆する包装材２の内部が減圧密封された真空断熱材１であって、包装材２は、ガスバリア性を有する多層のアルミフィルムで構成され芯材３が収容される内袋４と、合成樹脂フィルムで構成され内袋４が収容される外袋５と、を備えるように構成する。【選択図】図２
2015143555.tif 000002
【特許請求の範囲】
【請求項１】
芯材と、該芯材を被覆する包装材とを有し、前記包装材の内部が減圧密封された真空断熱材であって、
前記包装材は、
ガスバリア性を有する多層のアルミフィルムで構成され前記芯材が収容される内袋と、
合成樹脂フィルムで構成され前記内袋が収容される外袋と、
を備えることを特徴とする真空断熱材。
【請求項２】
前記内袋と前記外袋との開口部が複数条の平行な線シールによって密封されていることを特徴とする請求項１記載の真空断熱材。
【請求項３】
外箱と、前記外箱の内部に配置された内箱とを有し、前記外箱と前記内箱との間には請求項１又は２に記載の真空断熱材が配置され、前記真空断熱材の周辺には発泡断熱材が充填配置されていることを特徴とする真空断熱材を用いた断熱箱。
【発明の詳細な説明】
【技術分野】
【０００１】
本発明は、二重包装された真空断熱材及びこの真空断熱材を用いた断熱箱、特に冷熱機器への使用に好適な真空断熱材及び断熱箱に関する。
【背景技術】
【０００２】
二重包装された従来の真空断熱材は、内袋とこれを収容する外袋とを有し、内袋が合成樹脂フィルムで構成され、外袋がガスバリア性を有する多層のアルミフィルムで構成されている（例えば、特許文献１参照）。
【先行技術文献】
【特許文献】
【０００３】
【特許文献１】特開２０１１−１８５４１３号公報（段落［００１８］、［００２３］〜［００２８］、図２、図３、図５〜図７）
【発明の概要】
【発明が解決しようとする課題】
【０００４】
このように、従来の二重袋を用いた真空断熱材は、内袋が合成樹脂フィルムで構成され、外袋がガスバリア性を有する多層のアルミフィルムで構成されているので、真空引き後のシール強度を高める利点がある。しかしながら、外袋を構成するアルミフィルムは、外傷や皺に弱いという難点があった。
【０００５】
また、このような真空断熱材は、例えば冷蔵庫の断熱箱の外箱と内箱との間の空間に充填される発泡断熱材(ウレタンフォーム)中に埋設して併用される。この場合、外袋を構成するアルミフィルムがウレタンフォームに接着して離れず、リサイクル工程において、外袋すなわち真空断熱材をウレタンフォームから剥がす必要があり、その作業が煩わしいという問題があった。
【０００６】
本発明は、前記のような課題を解決するためになされたもので、シール強度を高めたまま、外傷や皺に強い真空断熱材を提供し、またこの真空断熱材を用いたリサイクル性の良い断熱箱を提供することを目的とする。
【課題を解決するための手段】
【０００７】
本発明に係る真空断熱材は、芯材と、この芯材を被覆する包装材とを有し、包装材の内部が減圧密封された真空断熱材であって、包装材は、ガスバリア性を有する多層のアルミフィルムで構成され芯材が収容される内袋と、合成樹脂フィルムで構成され内袋が収容される外袋と、を備えるものである。
【発明の効果】
【０００８】
本発明に係る真空断熱材において、芯材を被覆する包装材は、ガスバリア性を有する多層のアルミフィルムで構成され芯材が収容される内袋と、合成樹脂フィルムで構成され内袋が収容される外袋と、を備えるので、外傷や皺に強い外袋とすることができ、強度を高めることができる。
さらに、合成樹脂フィルムで構成される外袋は、従来のアルミフィルム製の外袋と比べて発泡断熱材から剥がしやすい。そのため、ＶＩＰ（真空断熱材：Vacuum Insulation Panel）を破袋させることなく断熱箱の解体が行え、リサイクル性が向上する。
【図面の簡単な説明】
【０００９】
【図１】本発明の実施形態１に係る真空断熱材を示す斜視図である。
【図２】図１のＡ−Ａ線断面図である。
【図３】本発明の実施形態１に係る真空断熱材の包装材の線シール加工部と線シーラーとの関係を示す模式図である。
【図４】本発明の実施形態２に係る断熱箱（冷蔵庫の断熱箱）を扉を取り外した状態で正面側より示す斜視図である。
【図５】図４のＢ−Ｂ線断面図である。
【発明を実施するための形態】
【００１０】
実施形態１．
図１は本発明の実施形態１に係る真空断熱材を示す斜視図であり、真空引きを行い４辺がシールにより密閉された状態を示している。図２は図１のＡ−Ａ線断面図である。
図１及び図２に示すように、本発明の実施形態１に係る真空断熱材１は、芯材３と、ガス吸着剤（図示せず）と、これら芯材３とガス吸着剤とを被覆する包装材２とを有し、包装材２の内部が１Ｐａ〜３Ｐａに減圧され、密封されている。
【００１１】
包装材２は、空気遮断性を有するガスバリア性の多層のアルミフィルムで構成されて芯材３とガス吸着剤とが収容される内袋４と、合成樹脂フィルムで構成されて内袋４が収容される外袋５とを備えている。
【００１２】
ガス吸着剤は、真空包装後の残存ガスや経時的に放出される芯材３からのアウトガス、包装材２のシール層を通して浸入する透過ガスを吸着するためのガス吸着剤や水分吸着剤である。
【００１３】
図３は本発明の実施形態１に係る真空断熱材の包装材の線シール加工部と線シーラーとの関係を示す模式図である。
本発明の実施形態１に係る真空断熱材１は、図３に示すように、包装材２の内袋４と外袋５の開口部である線シール加工部２ａが、鋸歯状の加熱部６ａを有する上下一対の線シーラー６によって熱圧着され、複数条の平行な線シールによって密封されるようになっている。
【００１４】
次に、製造手順について説明する。
前述のように構成される真空断熱材１は、芯材３を乾燥させた後に、この芯材３が内袋４に挿入され、芯材３が挿入された内袋４が外袋５に挿入される。次いで、図示しない真空包装機にて真空引きが行われる。そして、真空包装機内が真空状態となったところで、袋入り口である４辺目、つまり内袋４と外袋５との開口部である線シール加工部２ａを、鋸歯状の加熱部６ａを有する上下一対の線シーラー６の山部先端で挟み、熱圧着し、複数条の平行な線シールによって密封する。
【００１５】
本発明の実施形態１に係る真空断熱材１は、以上のように、内袋４にガスバリア性を有する多層のアルミフィルムを用いて内部への外気侵入を防ぎ、真空度を保つことで断熱性能の低下を抑えている。そして、合成樹脂フィルム製の外袋５が量産ラインでのハンドリング等による接触時の外傷から真空断熱材１を守る保護層となる。このため、真空断熱材１の包装材２の強度を高めることができる。
【００１６】
また、内袋４と外袋５の開口部、つまり袋入り口である４辺目を、従来の真空断熱材のシール部に一般に用いられている面シールではなく、同じシール幅で、より多くの独立したシール部を得られる複数条の平行な線シールによって密封している。このため、真空引き後のシール強度を一層高めることができる。
【００１７】
実施形態２．
図４は本発明の実施形態２に係る断熱箱（本実施形態では冷蔵庫の断熱箱を示す）を扉を取り外した状態で正面側より示す斜視図であり、前方が開放されている状態を示している。
本発明の実施形態２に係る断熱箱１１は、図４のように右側面１２、左側面１３、天井面１４、底面１５、更に背面１６によって形成される内箱１７と外箱１８とを有する。内箱１７は、ＡＢＳ樹脂で構成され、外箱１８は鋼板で構成されている。また、内箱１７を仕切る仕切り１９を有する。
【００１８】
図５は図４のＢ−Ｂ線断面図である。
内箱１７と外箱１８との間の空間には、図５のようにその片面（内箱１７側）に、真空断熱材１が配設され、その周辺、つまり内箱１７と外箱１８との間の真空断熱材１以外の空間に、発泡断熱材(ウレタンフォーム)２０が発泡充填によって配置されている。また、仕切り１９の内部にも、真空断熱材１と発泡断熱材（ウレタンフォーム）２０が配設されている。なお、内箱１７及び外箱１８は、図４のように共通する面（前面）にそれぞれ開口部が形成され、この開口部に開閉扉（図示せず）が設けられるようになっている。それ以外の構成は、一般的な冷蔵庫に用いられている断熱箱と違いがないため、図示及び説明を省略する。
【００１９】
前記の冷蔵庫の断熱箱１１において、真空断熱材１が配置される範囲は限定するものではなく、内箱１７と外箱１８との間に形成される空間の全範囲であっても、あるいは一部であってもよく、また開閉扉の内部に配置されてもよい。
【００２０】
前記のように構成した冷蔵庫の断熱箱１１は、本発明の真空断熱材１を発泡断熱材(ウレタンフォーム)２０中に埋設して併用している。合成樹脂フィルムで構成される外袋５は、従来のアルミフィルム製の外袋と比べて発泡断熱材(ウレタンフォーム)２０から剥がしやすい。そのため、真空断熱材１を冷蔵庫の断熱箱１１に使用した場合には、断熱箱１１を解体するときに合成樹脂フィルム製の外袋５を開くことで、ＶＩＰ（真空断熱材）を破袋させることなく断熱箱１１の解体が行え、取り出すことができ、リサイクル性が向上する。
【符号の説明】
【００２１】
１  真空断熱材、２  包装材、２ａ  線シール加工部、３  芯材、４  内袋、５  外袋、６  線シーラー、６ａ  鋸歯状の加熱部、１１  断熱箱、１２  右側面、１３  左側面、１４  天井面、１５  底面、１６  背面、１７  内箱、１８  外箱、１９  仕切り、２０  発泡断熱材(ウレタンフォーム)。
【図１】
2015143555.tif 000003
【図２】
2015143555.tif 000004
【図３】
2015143555.tif 000005
【図４】
2015143555.tif 000006
【図５】
2015143555.tif 000007